(57)【要約】【課題】原稿搬送装置における原稿搬送の安定性を向上させる。【解決手段】原稿搬送装置６は、原稿載置トレイ６１と、原稿搬送機構６５と、原稿排出トレイ６６とを備える。原稿搬送機構６５は、原稿読取部５の原稿搬送読取部を通過した原稿を下流へ搬送する搬送ローラー８０ａと、原稿搬送読取部から搬送ローラー８０ａまでの区間において原稿を上側からガイドする上ガイド部材７０ａと、上ガイド部材７０ａに対向配設され、原稿を下側からガイドする下ガイド部材７０ｂとを備え、搬送ローラー８０ａに当接するように付勢されて搬送ローラー８０ａとの間でニップ部を形成する従動ローラー８０ｂが下ガイド部材７０ｂに支持され、原稿搬送装置６を原稿読取部５上に閉じた状態において、下ガイド部材７０ｂの下面の一部が原稿読取部５における原稿固定読取部のプラテンガラス１６１ｂの表面に直接的又は間接的に当接する。【選択図】図３
2015192184.tif 000002
【特許請求の範囲】
【請求項１】
原稿が載置される原稿載置トレイと、前記原稿載置トレイに載置された原稿を１枚ずつ繰り出して原稿読取部における原稿搬送読取部に搬送する原稿搬送機構と、前記原稿搬送読取部で読取後の原稿が排出される原稿排出トレイとを備え、前記原稿読取部に対して装置前面側が上方に移動可能となるように回動自在に設けられた原稿搬送装置であって、
前記原稿搬送機構は、前記原稿搬送読取部を通過した原稿を原稿搬送方向下流へ搬送する搬送ローラーと、
前記原稿搬送読取部から前記搬送ローラーまでの区間において原稿を上側からガイドする上ガイド部材と、
前記上ガイド部材に対向配設され、原稿を下側からガイドする下ガイド部材と、を備え、
前記搬送ローラーに当接するように付勢されて前記搬送ローラーとの間でニップ部を形成する従動ローラーが前記下ガイド部材に支持され、
当該原稿搬送装置を前記原稿読取部上に閉じた状態において、前記下ガイド部材の下面の一部が前記原稿読取部における原稿固定読取部のプラテンガラスの表面に直接的又は間接的に当接されている原稿搬送装置。
【請求項２】
前記下ガイド部材の下面に前記リブが下方向へ突設され、当該原稿搬送装置を原稿読取部上に閉じた状態において、前記リブの下端が前記プラテンガラスの表面に直接的又は間接的に当接する請求項１に記載の原稿搬送装置。
【請求項３】
前記リブが前記下ガイド部材の下面の複数箇所に設けられている請求項２に記載の原稿搬送装置。
【請求項４】
請求項１乃至請求項３のいずれかに記載の原稿搬送装置と、
前記原稿搬送装置によって搬送される原稿を読み取る原稿読取部と、を備えた画像形成装置。
【発明の詳細な説明】
【技術分野】
【０００１】
本発明は、原稿搬送装置及びそれを備えた画像形成装置に関し、特に、原稿搬送装置における原稿搬送の安定性を向上させる技術に関する。
【背景技術】
【０００２】
コピー機、ファクシミリ装置、スキャナー装置、又はそれらの複合機等の画像形成装置の多くには原稿搬送装置が搭載されている。原稿搬送装置は、原稿載置トレイに載置された複数枚の原稿を原稿搬送機構によって１枚ずつ繰り出して原稿搬送読取部に搬送し、原稿排出トレイに排出する。
【０００３】
原稿搬送装置は原稿読取部の上に配置され、原稿読取部に対して前面側が上方に移動可能となるように回動自在に設けられる。また、原稿搬送装置において、原稿載置トレイは原稿排出トレイの上に配置される。このような構成上、原稿搬送機構は略円状の原稿搬送路を有しており、原稿搬送機構に給紙された原稿は、原稿搬送機構の給紙口から原稿搬送読取部までの上流側搬送路を通って原稿搬送装置の最下端まで搬送されて原稿搬送読取部で読み取られ、原稿搬送読取部で読取後にすくい上げられて下流側搬送路を通って原稿排出トレイに排出される。
【０００４】
上記のような構成の原稿搬送装置において原稿搬送読取部を原稿が通過する際の原稿搬送の安定性を向上させるために、下記特許文献１では、原稿搬送読取部におけるプラテンガラスを通過した原稿をすくい上げて下流側に案内するすくい上げガイド部材と搬送ガイド部材との間に規制部材を設けている。これにより、原稿搬送装置を原稿読取部上に密着させて閉じたときに、当該規制部材がすくい上げガイド部材に当接することで搬送ガイド部材がプラテンガラスと並行に所定位置へスライドし、搬送ガイド部材とプラテンガラスとのクリアランスが常時一定に保たれるようになっている。
【先行技術文献】
【特許文献】
【０００５】
【特許文献１】特開２００６−６０５８８号公報
【発明の概要】
【発明が解決しようとする課題】
【０００６】
原稿搬送装置における原稿搬送路は上下のガイド部材によって形成され、上ガイド部材と下ガイド部材とは、原稿通紙領域外で互いに締結される。原稿は、モーター等で回転駆動される搬送ローラーとそれに当接する従動ローラーとのニップ部にニップされて原稿搬送路を搬送される。
【０００７】
ニップ部に十分なニップ力を付与するために、従動ローラーはコイルバネ等によって一定のバネ荷重で付勢されて搬送ローラーに当接している。このコイルバネ等がガイド部材に支持されている場合、当該ガイド部材がバネに押されて撓んでしまう。特に下流側搬送路においてガイド部材が撓んで原稿搬送路のクリアランスが設計値通りに決まらなくなると、原稿搬送読取部を通過した原稿の先端が搬送ローラーと従動ローラーとのニップ部にまっすぐ進入せずに従動ローラー等に当たってしまう。この結果、原稿搬送読取部における読取動作において文字がぶれたり、色ずれが発生する等の原稿読取の品質に関する不具合が生じるおそれがある。
【０００８】
本発明は、上記の問題を解決するためになされたもので、原稿搬送装置における原稿搬送の安定性を更に向上させることを目的とする。
【課題を解決するための手段】
【０００９】
本発明の一局面に係る原稿搬送装置は、原稿が載置される原稿載置トレイと、前記原稿載置トレイに載置された原稿を１枚ずつ繰り出して原稿読取部における原稿搬送読取部に搬送する原稿搬送機構と、前記原稿搬送読取部で読取後の原稿が排出される原稿排出トレイとを備え、前記原稿読取部に対して装置前面側が上方に移動可能となるように回動自在に設けられた原稿搬送装置であって、
前記原稿搬送機構は、前記原稿搬送読取部を通過した原稿を原稿搬送方向下流へ搬送する搬送ローラーと、
前記原稿搬送読取部から前記搬送ローラーまでの区間において原稿を上側からガイドする上ガイド部材と、
前記上ガイド部材に対向配設され、原稿を下側からガイドする下ガイド部材と、を備え、
前記搬送ローラーに当接するように付勢されて前記搬送ローラーとの間でニップ部を形成する従動ローラーが前記下ガイド部材に支持され、
当該原稿搬送装置を原稿読取部上に閉じた状態において、前記下ガイド部材の下面の一部が前記原稿読取部における原稿固定読取部のプラテンガラスの表面に直接的又は間接的に当接されている。
【発明の効果】
【００１０】
本発明によれば、下ガイド部材の下面の一部が原稿読取部における原稿固定読取部のプラテンガラスの表面に直接的又は間接的に当接することによる位置決めにより、搬送ローラー及び従動ローラーの互いの位置関係が精度良く固定される。このため、原稿搬送装置における原稿搬送の安定性を向上させることができる。これにより、原稿搬送読取部における読取動作において文字がぶれたり、色ずれが発生するのを防止して、原稿読取の品質を向上させることができる。
【図面の簡単な説明】
【００１１】
【図１】本発明の一実施形態に係る原稿搬送装置を備えた画像形成装置の構造を示す正面断面図である。
【図２】原稿搬送装置の斜視図である。
【図３】原稿読取部の上に閉じた状態の原稿搬送機構の構造を示す正面断面図である。
【図４】下ガイド部材の上面からの斜視図である。
【図５】下ガイド部材の下面からの斜視図である。
【発明を実施するための形態】
【００１２】
以下、本発明の一実施形態に係る原稿搬送装置及び画像形成装置について図面を参照して説明する。図１は、本発明の一実施形態に係る画像形成装置の構造を示す正面断面図である。画像形成装置１は、例えば、コピー機能、プリンター機能、スキャナー機能、及びファクシミリ機能等の複数の機能を兼ね備えた複合機である。
【００１３】
画像形成装置１は、装置本体１１と、装置本体１１の上方に対向配置された原稿読取装置２０と、原稿読取装置２０と装置本体１１との間に設けられた連結部３０とから概略構成される。
【００１４】
原稿読取装置２０は、連結部３０の上端部に支持されている。原稿読取装置２０は、原稿読取部５と、原稿搬送装置６とを備えている。
【００１５】
原稿読取部５は、原稿読取部筐体の上面開口に装着された、原稿を載置するためのプラテンガラス１６１を備えている。プラテンガラス１６１には、載置された原稿を読み取る原稿固定読取部（図略）と、原稿搬送装置６により搬送される原稿を読み取る原稿搬送読取部（図略）とがある。原稿読取部５は、さらに、プラテンガラス１６１に載置された原稿を押さえる開閉自在の原稿押さえカバー１６２と、原稿固定読取部におけるプラテンガラス１６１に載置された原稿、及び原稿搬送読取部におけるプラテンガラス１６１上へ搬送される原稿の各画像を読み取る読取ユニット１６３とを備えている。読取ユニット１６３は、ＣＣＤ（Charge Coupled Device）やＣＭＯＳ（Complementary Metal Oxide Semiconductor）等のイメージセンサーを用いて原稿の画像を光学的に読み取り、画像データを生成する。
【００１６】
図２は、原稿搬送装置６の斜視図である。原稿搬送装置６は、原稿が載置される原稿載置トレイ６１と、原稿搬送機構６５と、画像読み取り済みの原稿が排出される原稿排出トレイ６６と、を備える。
【００１７】
原稿搬送機構６５は、図略の給紙ローラー、搬送ローラー、及び用紙反転機構を備えている。原稿搬送機構６５は、給紙ローラー及び搬送ローラーの駆動により、原稿載置トレイ６１に載置された原稿を１枚ずつ繰り出して原稿搬送読取部におけるプラテントガラス１６１上へ搬送して読取ユニット１６３による読取を可能とした後、原稿排出トレイ６６へと排出する。また、原稿搬送機構６５は、用紙反転機構が原稿を表裏反転させて原稿搬送読取部におけるプラテンガラス１６１上へ再搬送することで、当該原稿の両面の画像を読取ユニット１６３により読取可能にしている。
【００１８】
さらに原稿搬送装置６は、その前面側が上方に移動可能となるように原稿読取部５に対して回動自在に設けられている。原稿搬送装置６の前面側を上方に移動させて原稿台としてのプラテンガラス１６１上面を開放することにより、プラテンガラス１６１の上面に読み取り原稿、例えば見開き状態にされた書籍等をユーザーが載置できるようになっている。
【００１９】
図１へ戻り、画像形成装置１の説明を続ける。原稿読取装置２０の前面に操作部４７が配置されている。操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。
【００２０】
装置本体１１は、画像形成部１２、定着部１３、給紙部１４、用紙排出部１５等を備えて構成されている。
【００２１】
画像形成装置１が原稿読取動作を行う場合、原稿搬送装置６により搬送されてくる原稿、又はプラテンガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００２２】
画像形成装置１が画像形成動作を行う場合は、上記原稿読取動作により生成された画像データ、又はネットワーク接続されたコンピューターやスマートフォン等のユーザー端末装置から受信した画像データ、又は内蔵ＨＤＤに記憶されている画像データ等に基づいて、画像形成部１２が、給紙部１４から給紙される記録媒体としての用紙Ｐにトナー像を形成する。画像形成部１２の画像形成ユニット１２Ｍ、１２Ｃ、１２Ｙ、及び１２Ｂｋは、感光体ドラムと、感光体ドラムへトナーを供給する現像装置と、トナーを収容するトナーカートリッジと、帯電装置と、露光装置と、１次転写ローラー１２６とをそれぞれ備えている。
【００２３】
カラー印刷を行う場合、画像形成部１２のマゼンタ用の画像形成ユニット１２Ｍ、シアン用の画像形成ユニット１２Ｃ、イエロー用の画像形成ユニット１２Ｙ及びブラック用の画像形成ユニット１２Ｂｋは、それぞれに、画像データを構成するそれぞれの色成分からなる画像に基づいて、帯電、露光及び現像の工程により感光体ドラム１２１上にトナー像を形成し、トナー像を１次転写ローラー１２６により、駆動ローラー１２５ａ及び従動ローラー１２５ｂに張架されている中間転写ベルト１２５上に転写させる。
【００２４】
中間転写ベルト１２５は、その外周面にトナー像が転写される像担持面が設定され、感光体ドラム１２１の周面に当接した状態で駆動ローラー１２５ａによって駆動される。中間転写ベルト１２５は、各感光体ドラム１２１と同期しながら、駆動ローラー１２５ａと従動ローラー１２５ｂとの間を無端走行する。
【００２５】
中間転写ベルト１２５上に転写される各色のトナー画像は、転写タイミングを調整して中間転写ベルト１２５上で重ね合わされ、カラーのトナー像となる。２次転写ローラー２１０は、中間転写ベルト１２５の表面に形成されたカラーのトナー像を、中間転写ベルト１２５を挟んで駆動ローラー１２５ａとのニップ部Ｎにおいて、給紙部１４から搬送路１９０を搬送されてきた用紙Ｐに転写させる。この後、定着部１３が、用紙Ｐ上のトナー像を熱圧着により用紙Ｐに定着させる。定着処理の完了したカラー画像形成済みの用紙Ｐは、排出トレイ１５１に排出される。
【００２６】
給紙部１４は、手差しトレイ１４１を含む複数の給紙カセットを備える。図示しない制御部は、操作者による指示で指定されたサイズの用紙が収容された給紙カセットのピックアップローラー１４５を回転駆動させて、各給紙カセットに収容されている用紙Ｐを上記ニップ部Ｎに向けて搬送させる。
【００２７】
次に、本発明の一実施形態に係る原稿搬送装置における原稿搬送機構について図面を参照して説明する。図３は、原稿読取部５の上に閉じた状態の原稿搬送機構６５の構造を示す正面断面図である。
【００２８】
原稿搬送機構６５は略円状の原稿搬送路を有しており、当該原稿搬送路の最下端部分、すなわち、原稿搬送機構６５の下面において原稿読取部５の原稿搬送読取部におけるプラテンガラス１６１ａに対向する部分が開口している。原稿載置トレイ６１から原稿搬送機構６５に給紙された原稿は、原稿搬送機構６５の下面まで搬送され、そこで原稿搬送読取部によって画像が読み取られる。
【００２９】
上記の開口部分の下流において、原稿搬送読取部を通過した原稿を下流へ搬送する搬送ローラー８０ａが設けられている。搬送ローラー８０ａは、図示しないモーターによって回転駆動される。また、搬送ローラー８０ａは従動ローラー８０ｂとともにニップ部を形成し、当該ニップ部が原稿をニップして搬送する。
【００３０】
また、原稿搬送機構６５は、上記の開口部分から搬送ローラー８０ａまでの区間において原稿を上側からガイドする上ガイド部材７０ａと、上ガイド部材７０ａに対向配設され、原稿を下側からガイドする下ガイド部材７０ｂとを備える。上ガイド部材７０ａと下ガイド部材７０ｂとは幅方向の両端において互いに締結され、幅方向の中間部分において下流側搬送路７０ｃが形成されている。
【００３１】
原稿読取部５において、原稿搬送読取部におけるプラテンガラス１６１ａに連接する位置にすくい上げガイド５１が設けられている。原稿読取搬送部を通過した原稿の先端はすくい上げガイド５１ですくい上げられ、上ガイド部材７０ａと下ガイド部材７０ｂとの間に形成された下流側搬送路７０ｃを通って、搬送ローラー８０ａと従動ローラー８０ｂとのニップ部へと送られる。
【００３２】
搬送ローラー８０ａと従動ローラー８０ｂとのニップ部にニップ力を付与するために、従動ローラー８０ｂは図示しないコイルバネ等によって一定のバネ荷重で付勢されて搬送ローラー８０ａに当接している。下ガイド部材７０ｂは、そのように付勢される従動ローラー８０ｂを支持する。したがって、下ガイド部材７０ｂにおける従動ローラー８０ｂの支持箇所には搬送ローラー８０ａからの押圧が加わる。
【００３３】
図４は、下ガイド部材７０ｂの上面からの斜視図である。例えば、下ガイド部材７０ｂの上面の２箇所に凹部７１があり、従動ローラー８０ｂはこれら凹部７１に嵌挿され支持される。従動ローラー８０ｂの回転軸は図示しないコイルバネ等によって下ガイド部材７０ｂに支持される。これにより、回転軸回りに自由回転する従動ローラー８０ｂが搬送ローラー８０ａに当接するように付勢される。
【００３４】
図３へ戻り、下ガイド部材７０ｂの下面の一部にリブ７２が下方向に突設されている。リブ７２の下端は、原稿押さえカバー１６２を介して、原稿読取部５の原稿固定読取部におけるプラテンガラス１６１ｂの表面に当接する。すなわち、リブ７２の下端はプラテンガラス１６１ｂの表面に間接的に当接して位置決めされている。したがって、下ガイド部材７０ｂに搬送ローラー８０ａからの押圧が加わっても、プラテンガラス１６１ｂからリブ７２を介して押し返されるため、下ガイド部材７０ｂは撓むことがない。これにより、下流側搬送路７０ｃのクリアランスを設計値通りに決めることができる。
【００３５】
図５は、下ガイド部材７０ｂの下面からの斜視図である。例えば、リブ７２は、下ガイド部材７０ｂにおいて従動ローラー８０ｂが嵌挿される２箇所の凹部７１から下方向へ突設される。
【００３６】
なお、リブ７２は、下ガイド部材７０ｂの幅方向の中心の１箇所だけに設けてもよい。あるいは、下ガイド部材７０ｂの下面においてリブ７２を３箇所以上設けてもよい。
【００３７】
また、リブ７２の下端を、原稿押さえカバー１６２を介して、原稿読取部５の原稿固定読取部におけるプラテンガラス１６１ｂの表面に当接させる必要はなく、プラテンガラス１６１ｂの表面に直接当接させるようにしてもよい。
【００３８】
以上のように、本実施形態によれば、下ガイド部材７０ｂの下面の一部が原稿読取部５における原稿固定読取部のプラテンガラス１６１ｂの表面に直接的又は間接的に当接することによる位置決めにより、搬送ローラー７０ａ及び従動ローラー７０ｂの互いの位置関係が精度良く固定される。
【００３９】
このため、搬送ローラー８０ａからの押圧による下ガイド部材７０ｂの撓みが生じないため、下流側搬送路７０ｃのクリアランスを設計値通りに決めることができる。したがって、原稿搬送読取部を通過した原稿の先端が搬送ローラー８０ａと従動ローラー８０ｂとのニップ部にまっすぐ進入することができる。これにより、原稿搬送の安定性が向上し、原稿搬送読取部における読取動作において文字がぶれたり、色ずれが発生することがなく、原稿読取の品質を向上させることができる。
【００４０】
以上、本発明の実施形態について説明したが、本発明は上記実施の形態の構成に限られず種々の変形が可能である。例えば、リブ７２を設ける以外に、下ガイド部材７２の部材厚みを増して、下ガイド部材７０ｂの下面が原稿読取部５の原稿固定読取部のプラテンガラス１６１ｂの表面に直接的又は間接的に当接するようにしてもよい。また、上記実施形態では、本発明に係る原稿搬送装置を複合機に搭載した例を説明しているが、これは一例に過ぎず、本発明に係る原稿搬送装置は、他の電子機器、例えば、コピー機、ファクシミリ装置、スキャナー装置等で搭載可能である。
【００４１】
また、上記実施形態では、図１乃至図５を用いて上記実施形態により示した構成及び処理は、本発明の一実施形態に過ぎず、本発明を当該構成及び処理に限定する趣旨ではない。
【符号の説明】
【００４２】
５        原稿読取部
６        原稿搬送装置
６１      原稿載置トレイ
６５      原稿搬送機構
６６      原稿排出トレイ
７０ａ    上ガイド部材
７０ｂ    下ガイド部材
７２      リブ
８０ａ    搬送ローラー
８０ｂ    従動ローラー
１６１ｂ  プラテンガラス
【図１】
2015192184.tif 000003
【図２】
2015192184.tif 000004
【図３】
2015192184.tif 000005
【図４】
2015192184.tif 000006
【図５】
2015192184.tif 000007